(57)【特許請求の範囲】
【請求項１】
支柱部と、前記支柱部に装着されたポンプ台とを備えた医療用スタンドであって、
前記支柱部は、断面外形形状が円形である第１部分と、前記第１部分よりも外径が大きく且つ前記第１部分を軸方向に挟むように接続された断面外形形状が円形である２つの第２部分とを有し、
前記ポンプ台には、医療用ポンプが着脱自在に取り付けられるポンプ取付部と、前記第１部分の外径よりも大きく前記第２部分の外径よりも小さい内径を有し、且つ、前記ポンプ台を前記軸方向に貫通する貫通孔とが設けられており、
前記ポンプ台の前記貫通孔が設けられた領域の前記軸方向への厚さが前記第１部分の長さよりも短く、前記第１部分が前記貫通孔を貫くように前記支柱部に取り付けられた前記ポンプ台が、前記軸方向に沿って摺動可能となっており、
前記第１部分の外周面及び前記貫通孔を画定する前記ポンプ台の内周面の一方及び他方には、それぞれ、突起及び前記軸方向に延在した複数の溝の一方及び他方が設けられており、
前記突起は、前記ポンプ台の前記軸方向への摺動可能範囲の一部においてのみ前記複数の溝のうち任意の１つと係合して前記ポンプ台の回転を規制し、前記摺動可能範囲の前記一部以外では前記複数の溝のいずれとも係合しないために前記ポンプ台の回転を許容することを特徴とする医療用スタンド。
【請求項２】
前記支柱部は、複数の前記第１部分と複数の前記第２部分とを有し、
前記複数の第１部分のうち、両端に前記第２部分が接続された第１部分については、前記両端に接続された２つの前記第２部分のうち、少なくとも一方の第２部分が着脱自在に接続されていることを特徴とする請求項１に記載の医療用スタンド。
【請求項３】
前記支柱部は、前記第１部分及び前記第２部分を１つずつ有する２本以上の棒状部材が、前記第１部分と前記第２部分とが交互となるように前記軸方向に着脱自在に接続されたものであることを特徴とする請求項１に記載の医療用スタンド。
【請求項４】
前記第１部分の一部を別の前記棒状部材の前記第２部分に差し込むことが可能なように、前記第２部分に円筒領域が設けられており、
前記棒状部材には、接続された前記棒状部材同士の回転防止機構及び抜け止め機構が設けられていることを特徴とする請求項３に記載の医療用スタンド。
【請求項５】
前記回転防止機構は、前記第１部分の先端に設けられた凹部と、この凹部と係合するように前記第２部分内に配置されたピンとを含んでいることを特徴とする請求項４に記載の医療用スタンド。
【請求項６】
前記抜け止め機構は、前記第１部分の外周面に設けられた穴と、前記穴内に配置された硬質部材と、前記硬質部材を外向きに付勢して前記硬質部材の一部を前記穴から突出させる弾性部材と、前記第２部分の前記円筒領域の内周面に設けられた穴とを含んでおり、
前記硬質部材が前記第２部分の前記円筒領域の内周面に設けられた穴に係合することを特徴とする請求項４又は５に記載の医療用スタンド。
【発明の詳細な説明】
【技術分野】
【０００１】
本発明は、輸液ポンプやシリンジポンプのような人体に薬剤等の注入を行う医療用ポンプが取り付けられる、医療用スタンドに関する。
【背景技術】
【０００２】
医療用スタンドに関する技術としては、例えば特許文献１に記載されたものがある。特許文献１に記載された医療用スタンドは、スタンドポール３１０又はサブスタンドポール３１６に取り付けられた２種類の置き台３０５、３２０に、輸液ポンプ１が固定されたものであり、複数の輸液ポンプを一つの置き台に設置できるとともに、輸液ポンプを容易に置き台に着脱できることが記載されている。
【先行技術文献】
【特許文献】
【０００３】
【特許文献１】特開平１１−１３７６８０号公報
【発明の概要】
【発明が解決しようとする課題】
【０００４】
しかしながら、特許文献１に記載された医療用スタンドにおいては、置き台３０５では、背面側に設けられた金属製の部材３５５とジョー３２５とでサブスタンドポールを挟み、ノブ３２６を回転させることで、この置き台をサブスタンドポールに固定している。そのため、医療用ポンプの向き（即ち、置き台の向き）を変更したい場合には、ノブを緩み方向に回転させる必要があり、作業が煩雑となる問題がある。また、置き台３２０においても、置き台がスタンドポールの上端に固定されているので、医療用ポンプの向き（即ち、置き台の向き）の変更は困難である。
【０００５】
特に、重篤患者などの場合には、複数の医療用ポンプが医療用スタンドに取り付けられることが多く、例えば、患者をベッドに乗せたまま、病棟や手術室、ＩＣＵ等を行き来させる際には、廊下等の壁に接触するなどして邪魔となる医療用ポンプを置き台（以下、ポンプ台と記載する。）ごと一旦全て取り外し、再度取り付ける必要が生じ、その作業が非常に負担となる問題がある。そのため、医療用ポンプの向きを容易に変更できる手段の構築が切望されていた。
【０００６】
本発明は、上記実情に鑑みてなされたものであって、その目的は、医療用ポンプの向きを容易に変更できる医療用スタンドを提供することである。
【課題を解決するための手段】
【０００７】
上記課題を解決するため、本発明の医療用スタンドは、支柱部と、前記支柱部に装着されたポンプ台とを備えた医療用スタンドであって、前記支柱部は、断面外形形状が円形である第１部分と、前記第１部分よりも外径が大きく且つ前記第１部分を軸方向に挟むように接続された断面外形形状が円形である２つの第２部分とを有し、前記ポンプ台には、医療用ポンプが着脱自在に取り付けられるポンプ取付部と、前記第１部分の外径よりも大きく前記第２部分の外径よりも小さい内径を有し、且つ、前記ポンプ台を前記軸方向に貫通する貫通孔とが設けられており、前記ポンプ台の前記貫通孔が設けられた領域の前記軸方向への厚さが前記第１部分の長さよりも短く、前記第１部分が前記貫通孔を貫くように前記支柱部に取り付けられた前記ポンプ台が、前記軸方向に沿って摺動可能となっており、前記第１部分の外周面及び前記貫通孔を画定する前記ポンプ台の内周面の一方及び他方には、それぞれ、突起及び前記軸方向に延在した複数の溝の一方及び他方が設けられており、前記突起は、前記ポンプ台の前記軸方向への摺動可能範囲の一部においてのみ前記複数の溝のうち任意の１つと係合して前記ポンプ台の回転を規制し、前記摺動可能範囲の前記一部以外では前記複数の溝のいずれとも係合しないために前記ポンプ台の回転を許容することを特徴とするものである。
【０００８】
この構成によると、ポンプ台の摺動可能範囲の一部以外では複数の溝と突起とが係合しないので、ポンプ台を軸方向に摺動させるだけで自在に回動させることができる。さらに、複数の溝のうち突起に係合させたい溝を選んで係合させることで、ポンプ台の向きを変えた状態でポンプ台の回転を規制することができる。したがって、ポンプ台を支柱部から取り外す操作をすることなくポンプ台の向きを変更することが可能となる。
【０００９】
また本発明において、前記支柱部は、複数の前記第１部分と複数の前記第２部分とを有し、前記複数の第１部分のうち、両端に前記第２部分が接続された第１部分については、前記両端に接続された２つの前記第２部分のうち、少なくとも一方の第２部分が着脱自在に接続されていることが好ましい。
【００１０】
この構成によると、支柱部には第１部分が複数形成されることとなり、ポンプ台の取り付け高さを選択又は変更できる。また、第１部分と第２部分との少なくとも一部が着脱自在に接続されているので、ポンプ台の着脱を容易に行うことができる。
【００１１】
また本発明において、前記第１部分及び前記第２部分を１つずつ有する２本以上の棒状部材が、前記第１部分と前記第２部分とが交互となるように前記軸方向に着脱自在に接続されたものであることが好ましい。
【００１２】
この構成によると、第１部分と第２部分とを接続する工程数が減り、支柱部を容易に組み立てることができる。
【００１３】
また本発明において、前記第１部分の一部を別の前記棒状部材の前記第２部分に差し込むことが可能なように、前記第２部分に円筒領域が設けられており、前記棒状部材には、接続された前記棒状部材同士の回転防止機構及び抜け止め機構が設けられていることが好ましい。
【００１４】
この構成によると、第１部分と第２部分とが相対的に回転してしまうことを防止できるとともに、第１部分と第２部分とが予期せずに外れてしまうことを防止できる。
【００１５】
また本発明において、前記回転防止機構は、前記第１部分の先端に設けられた凹部と、この凹部と係合するように前記第２部分内に配置されたピンとを含んでいることが好ましい。
【００１６】
この構成によると、簡単な構造で、第１部分と第２部分とが相対的に回転してしまうことを防止できる。
【００１７】
また本発明において、前記抜け止め機構は、前記第１部分の外周面に設けられた穴と、前記穴内に配置された硬質部材と、前記硬質部材を外向きに付勢して前記硬質部材の一部を前記穴から突出させる弾性部材と、前記第２部分の前記円筒領域の内周面に設けられた穴とを含んでおり、前記硬質部材が前記第２部分の前記円筒領域の内周面に設けられた穴に係合することが好ましい。
【００１８】
この構成によると、簡単な構造で、第１部分と第２部分とが予期せずに外れてしますことを防止できる。なお、抜け止め機構を構成する第１部分の外周面に設けられた穴及び第２部分の円筒領域の内周面に設けられた穴は、凹部及び孔部のいずれであってもよい。
【発明の効果】
【００１９】
本発明の医療スタンドによれば、ポンプ台の摺動可能範囲の一部以外では複数の溝と突起とが係合しないので、ポンプ台を軸方向に摺動させるだけで自在に回動させることができる。さらに、複数の溝のうち突起に係合させたい溝を選んで係合させることで、ポンプ台の向きを変えた状態でポンプ台の回転を規制することができる。したがって、ポンプ台を支柱部から取り外す操作をすることなくポンプ台の向きを変更することが可能となる。
【図面の簡単な説明】
【００２０】
【図１】本発明の実施形態に係る医療用スタンドの概略図である。
【図２】図１に示した支柱部とポンプ台との接続部分Ａの縦断面図である。
【図３】（ａ）は図１に示したポンプ台の斜視図であり、（ｂ）は（ａ）の正面図である。
【図４】（ａ）は図２のIVＡ−IVＡ断面図であり、（ｂ）は図２の要部拡大図である。
【図５】図４（ａ）に示したポンプ台の向きを時計回りに４５°変更したときの図４（ａ）のIVＡ−IVＡ断面に相当する断面図である。
【図６】図６（ａ）は、溝の第１変形例を示す断面図であり、（ｂ）は溝の第２変形例を示す断面図である。
【図７】（ａ）は第１部分と第２部分との接続前の状態を示した要部断面図であり、（ｂ）は第１部分と第２部分との接続後の状態を示した要部断面図である。
【発明を実施するための形態】
【００２１】
（医療用スタンドの構造）
以下、本発明を実施するための形態について図面を参照しつつ説明する。図１は、本発明の実施形態に係る医療用スタンド１の概略図である。医療用スタンド１は、図１に示すように、支柱部２、ポンプ台３、フック４、脚部５及びキャスター６を有している。ポンプ台３は支柱部２に装着され、ポンプ台３には医療用ポンプ１０１が着脱自在に取り付けられる。フック４には薬剤等が入った輸液バッグ１０２が吊り下げられ、医療用ポンプ１０１と輸液バッグ１０２とはチューブ１０３で接続されている。チューブ１０３は医療用ポンプ１０１からさらに延びて図示しない患者等に接続され、薬剤等が医療用ポンプ１０１により患者等に注入される。なお、脚部５とキャスター６は必要に応じて設置されるものであり、医療用スタンド１は、支柱部２がベッド脇に差し込まれて使用されてもよい。
【００２２】
支柱部２は、第１部分７及び第２部分８を１つずつ有するように第１部分７と第２部分８とが一体に形成された複数の棒状部材２ａからなり、第１部分７と第２部分８とが交互となるように第１部分７の軸方向に着脱自在に接続されて構成される。棒状部材２ａを順次接続すると上端及び下端の一方が第１部分７となるので、本実施形態においては、その第１部分７の一端に第２部分８を単独で配置している（図１、上端の第２部分８）。ただし、上端及び下端の一方が第１部分７となっていても構わない。また、棒状部材２ａは上方に第１部分７を有し下方に第２部分８を有しているが、上方に第２部分８を有し下方に第１部分７を有していてもよい。また、第１部分７と第２部分８は、各々別個の部材とすることもできるが、棒状部材２ａとした方が、支柱部２の組立時の工程数が減り、支柱部２の組立てが容易となる。
【００２３】
図２は、図１に示した支柱部２とポンプ台３との接続部分Ａの縦断面図である。支柱部２は、円柱形状の第１部分７と、この第１部分７の外径よりも内径及び外径が大きい円筒形状の第２部分８とが交互に接続されて構成される。なお、図２において、第１部分７の下端側に設けられた第２部分８を第２部分８ａとも記載し、第１部分７の上端側に設けられた第２部分８を第２部分８ｂとも記載する。第１部分７と第２部分８ａとは、第１部分７の下端側が第２部分８ａに差し込まれた後、ねじ９により接続されて、棒状部材２ａを形成している。また、第１部分７と第２部分８ｂとは、第１部分７の上端側が第２部分８ｂに差し込まれた後、後述する抜け止め機構１０により着脱可能に接続されている。このように第１部分７の一部を第２部分８に差し込むことで支柱部２が構成されているため、支柱部２の外観としては、第１部分（第１部分７のうち第２部分８で被覆された領域以外の領域（面１１に相当する領域））と第２部分８とが軸方向に交互に設けられていることになる。
【００２４】
また、第１部分７の上端には、凹部１３が設けられている。凹部１３は、第１部分７の上端面において、第１部分７の軸方向と直交する方向に上端面を貫くように延在している。凹部１３の形状は、図２に示すように、第１部分７の側面から見て略半球形状である。また、第２部分８は内部にピン１４を有している。ピン１４は、凹部１３の外径よりも小さい径を有した円柱形状であって、第２部分８の軸方向と直交方向に延在し、ピン１４の両端部が第２部分８の内周面に固定されている。そして、第１部分７が第２部分８に差し込まれると、凹部１３及びピン１４は係合して、第１部分７と第２部分８とが相対的に回転することを防止している。なお、凹部１３及びピン１４は、係合して第１部分７と第２部分８とが相対的に回転することを防止するものであればこれらの形状に限られるものではなく、たとえば、矩形形状であってもよい。また、第１部分７の上端に凸部が設けられ、第２部分８の内部にこの凸部と係合する凹部を有した部材が固定配置されていてもよい。
【００２５】
また、面１１の下端部には、突起１２が１８０°異なる位置に２箇所形成されている。突起１２は、第１部分７に部分的に埋め込まれ、先端が面１１から突出している。なお、突起１２は、第１部分７と一体に形成されていてもよいし、２つの突起１２が１本のピンの両端近傍であって、このピンが第１部分７に設けられた孔に挿入固定されていてもよい。
【００２６】
また、第１部分７の外周面には、ポンプ台３が装着されている。ポンプ台３には、第１部分７の外径よりも大きく第２部分８の外径よりも小さい内径を有し且つポンプ台３を第１部分７の軸方向に貫通する貫通孔１５が設けられており、第１部分７がこの貫通孔１５を貫くように、ポンプ台３は装着されている。ここで、ポンプ台３の貫通孔１５が設けられた領域の第１部分７の軸方向への厚さｔは、面１１の長さＬよりも短くなっている。したがって、ポンプ台３は、長さＬの範囲を第１部分７の軸方向に沿って摺動することが可能となる（以下、長さＬの範囲を摺動可能範囲Ｌと記載する。）。また、この貫通孔１５を画定するポンプ台３の内周面には、溝１６が形成されており（図２に示したポンプ台３において、ハッチングが施されていない部分）、溝１６は突起１２に係合している。溝１６については以降に詳しく説明する。
【００２７】
（ポンプ台の構造）
次に、ポンプ台３の構造について図３を参照しつつ説明する。図３（ａ）は図１に示したポンプ台３の斜視図であり、（ｂ）は（ａ）の平面図である。ポンプ台３は、金属板をコの字状に折り曲げて形成された本体部１７と、本体部１７とねじにより接続され、本体部１７を補強支持する樹脂製のスペーサ１８と、本体部１７の側面にねじにより着脱自在に取り付けられる樹脂製のポンプ取付部１９とを有している。前記した貫通孔１５は、この本体部１７とスペーサ１８とを貫くように形成されている。また、ポンプ取付部１９の中央部には、ねじ穴２０が形成されており、ポンプ取付部１９に医療用ポンプ１０１が着脱自在に取り付けられる。なお、スペーサ１８やポンプ取付部１９は金属製であってもよく、それぞれ本体部１７と一体に形成されていてもよい。
【００２８】
貫通孔１５を画定するポンプ台３の内周面には、貫通孔１５の軸方向に延在するように溝１６が複数設けられている。溝１６は、図３（ｂ）に示すように、貫通孔１５の中心を中心点として、一定の角度間隔を持って形成されており、その角度間隔を４５°としている（即ち、溝１６の数は８個）。この角度間隔は何度に設定してもよいが、この角度間隔がポンプ台３の取り付け向きの変更角度の間隔となるので、角度間隔が小さい方がよりポンプ台３の取り付け向きを細かく変更できる。角度間隔は少なくとも９０°以下（即ち、溝１６の数を４個以上）とすることが好ましい。
【００２９】
次に、溝１６の形状について説明する。図３（ｂ）に示すように、溝１６は各々同一形状であり、溝１６の幅ａは、第１部分７の下端部に設けられた突起１２の幅ｃ（図４（ａ）参照）よりも僅かに大きくなっており、溝１６の奥行きｂは、突起１２の面１１から突出した長さｄ（図４（ｂ）参照）よりも大きくなっている。いずれも、溝１６を突起１２に係合させるためである。ここで、溝１６の幅ａの大きさを突起１２の幅ｃよりも僅かに大きくしたのは、溝１６を突起１２に係合させたときのポンプ台３の回転方向へのがたつきを少なくするためである。
【００３０】
また、溝１６は、貫通孔１５と同様に、ポンプ台３を貫くように形成されている。そのため、ポンプ台３を第１部分７の軸方向に摺動させる際に、上下どちら方向への摺動についても突起１２がポンプ台３の軸方向への摺動の障害となることがない。したがって、ポンプ台３を第１部分７に着脱する際に、ポンプ台３の上端面３ａ及び下端面３ｂどちら側からでも着脱することができる。
【００３１】
（ポンプ台の向きの変更方法）
次に、ポンプ台３の向きの変更方法について図４及び図５を参照しつつ説明する。図４（ａ）は図２のIVＡ−IVＡ断面図であり、図４（ｂ）は、図２の要部拡大図である。また、図５は、図４（ａ）に示したポンプ台の向きを時計回りに４５°変更したときの図４（ａ）のIVＡ−IVＡ断面に相当する断面図である。図４の状態においては、複数の溝１６のうちの溝１６ａとこの溝に対向する溝１６ｅが突起１２に係合している。したがって、この状態においては、ポンプ台３の回転は規制されており、ポンプ台３は回転しない。
【００３２】
この状態からポンプ台３を回動させるには、まず、ポンプ台３を摺動可能範囲Ｌの範囲内で摺動させる必要がある。図４の状態においては、ポンプ台３を第１部分７の軸方向に沿って上方（Ｙ方向）に摺動させる。そうすると、溝１６ａ及び溝１６ｅと突起１２との係合が外れて、ポンプ台３の回転が許容され、ポンプ台３を自在に回動させることができる。
【００３３】
次に、ポンプ台３を回動させて、ポンプ台３を所望の向きに変更する。そして、ポンプ台３を再び摺動可能範囲Ｌの範囲内で摺動させて、即ち、図４の状態においては、ポンプ台３を第１部分７の軸方向に沿って下方（Ｙ方向と逆方向）に摺動させて、複数の溝１６のうち、当該所望の向きに最も近い溝１６を突起１２に係合させる。そうすると、ポンプ台３の回転は再び規制され、ポンプ台３の向きの変更が完了する。例えば、図５に示すように、溝１６ｂとこの溝に対向する溝１６ｆを突起１２に係合させれば、図４の状態から、ポンプ台３の向きを時計周りに４５°変更させることができる。また、突起１２に係合させる溝をその他の溝（例えば溝１６ｃや溝１６ｄ）とすれば、ポンプ台３の向きを時計回り又は反時計回りにさらに大きな角度で変更することができる。
【００３４】
以上のように、ポンプ台３を第１部分７の軸方向に摺動させることで、ポンプ台３を自在に回動させたり、ポンプ台３の回転を規制することができるので、ポンプ台３を支柱部２から取り外す操作をすることなくポンプ台３の向きを変更することが可能となる。
【００３５】
次に、前記したように、ポンプ台３を摺動可能範囲Ｌの範囲内で摺動させることで、ポンプ台３の回転を規制及び許容できる仕組みについて説明する。ポンプ台３の摺動可能範囲Ｌの範囲には、溝１６と突起１２とが係合する範囲が設けられており、この係合する範囲でポンプ台３の回転を規制している。ここで、この係合する範囲は、ポンプ台３の摺動可能範囲Ｌの一部としている。係合する範囲がポンプ台３の摺動可能範囲Ｌの全部としたのでは、ポンプ台３を摺動可能範囲Ｌの範囲内で摺動させても、溝１６と突起１２との係合が外れず、ポンプ台３を回動させることができないためである。したがって、面１１の下端から、突起１２の上端１２ａまでの長さＸ０は、摺動可能範囲Ｌとポンプ台３の厚さｔとの差Ｘ１よりも短くなっている。また、摺動可能範囲Ｌの一部以外の範囲においては、溝１６と突起１２とが係合しないようになっており、ポンプ台３の回転が許容され、ポンプ台３を自在に回動させることができるようになる。したがって、ポンプ台３を摺動可能範囲Ｌの範囲内で摺動させることで、ポンプ台３の回転を規制及び許容できる。
【００３６】
本実施形態においては、突起１２を面１１の下端部に設け、当該下端部で溝１６と突起１２を係合させているが、突起１２を面１１の下端部以外の領域に設け、当該下端部以外の領域で溝１６と突起１２を係合させてもよい。ただし、その場合、溝１６と突起１２との係合している状態でポンプ台３を支持しておく機構が別途必要になるので、突起１２は、本実施形態のように面１１の下端部に設けておくことが好ましい。なお、下端部とは、摺動可能範囲Ｌの一部（即ち、溝１６と突起１２が係合する範囲）が摺動可能範囲Ｌの下端を含む範囲を言う。
【００３７】
また、溝１６はポンプ台３を貫くように形成されているが、溝１６の長さはポンプ台の厚さｔの一部とされていてもよい場合がある。以下、当該場合について図６を参照しつつ説明する。図６（ａ）は、溝１６の第１変形例を示す断面図であり、（ｂ）は溝１６の第２変形例を示す断面図である。これら２つの変形例は、突起１２が下端部に設けられている場合の例である。図６（ａ）に示す変形例では、溝１６は、ポンプ台３の下端面３ｂを含み、突起１２の上端１２ａまで延在するように形成されている（即ち、溝１６の長さは、面１１の下端から突起１２の上端１２ａまでの長さＸ２と同等である）。この変形例でも、溝１６がポンプ台３を貫くように形成されている場合と比較して、ポンプ台３の回転を規制及び許容する効果は変わらない。なお、本変形例においても、面１１の下端から突起１２の上端１２ａまでの長さＸ２は、摺動可能範囲Ｌとポンプ台３の厚さｔとの差Ｘ１よりも短くなっている。また、本変形例のさらなる変形例として、突起１２が下端部以外に設けられていると共に、溝１６がポンプ台３の上端面３ａを含み、突起１２の下端１２ｂまで延在するように形成されていてもよい。
【００３８】
また、図６（ｂ）に示す変形例では、溝１６が、ポンプ台３の下端面３ｂを含み、溝１６の長さが面１１の下端から突起１２の上端１２ａまでの長さＸ３よりも短くなるように（即ち、溝１６が突起１２に係合するように（図６（ｂ）参照）））形成されている。ただし、その場合には、ポンプ台３の下端面３ｂと面１１の上端との間に新たに形成される摺動可能範囲Ｌ´の一部において、ポンプ台３の回転を規制し、摺動可能範囲Ｌ´の一部以外においては、ポンプ台３の回転を許容する必要がある。なお、本変形例においては、ポンプ台３の下端面３ｂから突起１２の上端１２ａまでの長さＸ４は、摺動可能範囲Ｌ’とポンプ台３の厚さｔとの差Ｘ５よりも短くなっている。
【００３９】
さらに、本変形例のさらなる変形例として、突起１２が下端部以外に設けられていると共に、溝１６がポンプ台３の上端面３ａを含み、溝１６の長さ（不図示）が面１１の上端端から突起１２の下端１２ｂまでの長さ（不図示）よりも短くなるように形成されていてもよい。ただし、その場合には、新たに形成される摺動可能範囲（不図示）の一部において、ポンプ台３の回転を規制し、摺動可能範囲（不図示）の一部以外においては、ポンプ台３の回転を許容する必要がある。
【００４０】
（抜け止め機構）
次に、抜け止め機構１０について図７を参照しつつ説明する。図７（ａ）は、第１部分７と第２部分８ｂとの接続前の状態を示した要部断面図であり、図７（ｂ）は、第１部分７と第２部分８ｂとの接続後の状態を示した要部断面図である。抜け止め機構１０は、第１部分７と第２部分８ｂとが予期せずに抜けないように固定する一方で、簡単な操作で固定を解除できるものであり、第１部分７の外周面に設けられたねじ穴２１と、ねじ穴２１に固定された弾性体機構２２と、第２部分８ｂに設けられたストッパー機構２３とから構成されている。弾性体機構２２は、固定部２４と、固定部２４の一端から延在する弾性部材２５と、弾性部材２５の先端に固定された第１硬質部材２６とから構成され、固定部２４の外周に設けられたねじ部がねじ穴２１に螺着されている。弾性体機構２２は、弾性部材２５が圧縮されていない状態において、第１硬質部材２６が第１部分７の外周面から突出した状態となっている。弾性部材２５としては、コイルばね、板ばね、ゴム等が好適に用いられる。第１硬質部材２６は、半球形状で、平面側が弾性部材２５に固定されている。第１硬質部材２６の材質は、弾性変形が小さいものが好ましく、樹脂や金属等が好適に用いられる。なお、本実施形態においては、ねじ穴２１は第１部分７を貫通しているが、貫通させずに凹部としもよい。
【００４１】
ストッパー機構２３は、第２部分８ｂに設けられた孔２７と、孔２７を覆い第２部分８ｂの外周面の一部分の全周に取付けられたゴム部材２８と、孔２７の内部に収納され、ゴム部材２８の内周面に接着固定された第２硬質部材２９とから構成されている。孔２７は、第１硬質部材２６が係合するように、第１硬質部材２６よりも大きく形成されている。なお、ゴム部材２８の材質は、弾性部材２５の付勢力によって容易に弾性変形する材質が好適に用いられ、第２硬質部材２９の材質は、弾性変形が小さいものが好ましく、樹脂や金属等が好適に用いられる。
【００４２】
次に、抜け止め機構１０の作用について説明する。第１部分７が第２部分８ｂに差し込まれると、まず、第１硬質部材２６が第２部分８ｂの内周面に接触して弾性部材２５が圧縮された状態となる。そして、第１硬質部材２６が孔２７の位置に達すると、弾性部材２５の圧縮は開放されて第１硬質部材２６を外側に付勢し、第１硬質部材２６は第２硬質部材２９を外側に付勢して第１硬質部材２６は孔２７と係合する。外側に付勢された第２硬質部材２９はさらにゴム部材２８を外周側に付勢し、ゴム部材２８は孔２７の外周部分が弾性変形して膨らんだ状態となる（図７（ｂ）参照）。この状態においては、第１硬質部材２６が孔２７と係合しているので、第１部分７は第２部分８ｂと接続固定され予期せずに抜けることはない。そして、第１部分７は第２部分８ｂと固定を解除する場合には、ゴム部材２８の膨らみ部分を素手などで押してやることで（図７（ｂ）矢印参照）、弾性部材２５が圧縮されて、第１硬質部材２６が孔２７と係合が解除され、第１部分７と第２部分８ｂとを容易に取り外すことができる。
【００４３】
なお、ストッパー機構２３は、第２部分８ｂに設けられた孔２７だけで形成されており、容易に固定を解除する機能はなくてもよい。また、孔ではなく凹部であってもよい。また、抜け止め機構１０は、上述した形態以外の機構であってもよく、例えば、第１部分７の外周面又は第２部分８ｂの内周面にＯリング等の弾性部材を配置してもよい。また、着脱が面倒となるが、第１部分７と第２部分８ｂとをねじにより接続してもよい。また、本実施形態においては、抜け止め機構１０を第１部分７の上端側と第２部分８の下端側との接続部分にのみ設けているが、第１部分７の下端側と第２部分８の上端側との接続部分に設けていてもよい。
【００４４】
（支柱部の構成）
本実施形態において、支柱部２は、２つの第１部分７と３つの第２部分８とが交互に接続されて構成されている（図１参照）。このように、支柱部２には２つの第１部分７を含んでいるので、ポンプ台３を取り付ける位置（高さ）を選択することができ、その結果、ポンプ台３の取り付け高さを変更することができる。また、第１部分７と第２部分８とが抜け止め機構１０により接続されている箇所においては、第１部分７と第２部分８との着脱が容易であるため、簡単にポンプ台３を着脱でき、ポンプ台３の取り付け位置（高さ）を容易に変更することができる。なお、支柱部２は、３つ以上の第１部分７と３つ以上の第２部分８（即ち、３つ以上の棒状部材２ａ）とから構成されていてもよく、また、１つの第１部分７と２つの第２部分８から構成されていてもよいし、第１部分７と第２部分８がそれぞれ１つ（即ち、１つの棒状部材２ａ）から構成されていてもよい。
【００４５】
また、第１部分７と第２部分８との接続箇所全てをねじ９又は抜け止め機構１０により着脱自在に接続しているが、全ての接続箇所を着脱自在に接続する必要はなく、第１部分７のうち両端に第２部分８が接続された第１部分については、両端に接続された２つの第２部分８のうち、少なくとも一方の第２部分が着脱自在に接続されていればよい。このようにしておけば、複数の第１部分７全てにおいてポンプ台３の着脱が可能となるからである。なお、ポンプ台３の着脱が不可能となるが、第１部分７と第２部分８は着脱できないように固定されていてもよい。
【００４６】
また本実施形態においては、第１部分７を円柱形状としているが、第１部分７の断面外形形状が円形であれば、その他の形状であってもよい。また、第２部分８は円筒形状としているが、第１部分７の一部を第２部分８に差し込むことができ、且つ、第１部分７と第２部分８がねじ９や抜け止め機構１０により接続することができる程度の円筒領域を持っていれば、その他の領域は円柱形状であってもよい。さらに、第１部分７と第２部分８とが接続できるのであれば、円筒領域はなくてもよい。
【００４７】
以上、本発明の実施形態について説明したが、本発明は上述の実施の形態に限られるものではなく、特許請求の範囲に記載した限りにおいて様々に変更して実施することができるものである。
【００４８】
本実施形態においては、複数の溝を貫通孔を画定するポンプ台の内周面に設け、突起を第１部分の外周面に設けているが、複数の溝を第１部分の外周面に設け、突起を貫通孔を画定するポンプ台の内周面に設ける構造としてもよい。この構成の場合には、第１部分の外周面の一部に、他の部分に比べて外径が小さい部分を設けるなどして、ポンプ台が自在に回動できるようにする必要がある。
【００４９】
また本実施形態においては、突起１２を２つ設け、複数の溝のうち２つの溝がこれら突起と係合するようにしているが、突起１２は少なくとも１つあればよい。
【００５０】
また本実施形態においては、支柱部の材質は、いずれもアルミニウムやステンレス等の金属で形成したが、支柱部はその他の材質で形成されていてもよい。
【符号の説明】
【００５１】
１：医療用スタンド
２：支柱部
２ａ：棒状部材
３：ポンプ台
４：フック
５：脚部
６：キャスター
７：第１部分
８：第２部分
９：ねじ
１０：抜け止め機構
１１：面
１２：突起
１３：凸部
１４：ピン
１５：貫通孔
１６：溝
１７：本体部
１８：スペーサ
１９：ポンプ取付部
２０、２１：ねじ穴
２２：弾性体機構
２３：ストッパー機構
２４：固定部
２５：弾性部材
２６：第１硬質部材
２７：孔
２８：ゴム部材
２９：第２硬質部材
１０１：医療用ポンプ
１０２：輸液バッグ
１０３：チューブ
【図１】
0005835656.tif 000002
【図２】
0005835656.tif 000003
【図３】
0005835656.tif 000004
【図４】
0005835656.tif 000005
【図５】
0005835656.tif 000006
【図６】
0005835656.tif 000007
【図７】
0005835656.tif 000008